(57)【要約】【課題】あらかじめ行う簡単な設定操作によって、ＡＶアンプのどこの端子にどのような機器が接続されているかを簡単に認識できるユーザインターフェースの向上を目的とする。【解決手段】上記の課題を解決するために、情報処理機器（１）と当該情報処理機器に接続される情報再生機器（３、４、５、６、７）との接続関係情報を入力する入力手段と、前記接続関係情報を記憶する記憶手段と、前記接続関係情報を出力する出力手段とを有する遠隔操作装置（８）と、前記遠隔操作装置から出力された前記接続関係情報に基づいて、前記情報処理機器（２）と当該情報処理機器に接続される情報再生機器（３、４、５、６、７）との接続関係を認識する認識手段を有する制御装置（２）と、を備えることを特徴とする。【選択図】　図１
2004120442.tif 000002
【特許請求の範囲】
【請求項１】
情報処理機器と当該情報処理機器に接続される情報再生機器との接続関係情報を入力する入力手段と、
前記接続関係情報を記憶する記憶手段と、
前記接続関係情報を出力する出力手段とを有する遠隔操作装置と、
前記遠隔操作装置から出力された前記接続関係情報に基づいて、前記情報処理機器と当該情報処理機器に接続される情報再生機器との接続関係を認識する認識手段を有する制御装置と、
を備えることを特徴とする遠隔制御システム。
【請求項２】
請求項１に記載の遠隔制御システムにおいて、
遠隔操作装置は、前記接続関係情報に基づき、前記情報再生機器を示す指示情報を表示する表示手段を有することを特徴とする遠隔制御システム。
【請求項３】
請求項１に記載の遠隔制御システムにおいて、
前記入力手段は、外部の設定装置によって設定された前記接続関係情報を入力することを特徴とする遠隔制御システム。
【請求項４】
請求項１に記載の遠隔制御システムにおいて、
前記遠隔操作装置は、前記接続関係情報を設定する設定手段を備え、前記入力手段は、前記設定手段によって設定された前記接続関係情報を入力することを特徴とする遠隔制御システム。
【請求項５】
請求項１に記載の遠隔制御システムにおいて、
前記出力手段は、前記情報処理機器と当該情報処理機器に接続される前記情報再生機器とを遠隔制御するための制御信号を出力することを特徴とする遠隔制御システム。
【請求項６】
請求項５に記載の遠隔制御システムにおいて、
前記制御装置は、前記認識手段によって認識した前記情報処理機器と当該情報処理機器に接続される情報再生機器との接続関係に対応して、前記遠隔操作装置から出力される制御信号に基づいて、前記情報処理機器及び前記情報再生機器を制御することを特徴とする遠隔制御システム。
【請求項７】
請求項１に記載の遠隔制御システムにおいて、
前記情報処理機器は、当該情報処理機器に接続される情報再生機器の有無を検出する検出手段と、前記検出手段による検出結果を前記制御装置に出力する検出結果出力手段とを有することを特徴とする遠隔制御システム。
【請求項８】
請求項７に記載の遠隔制御システムにおいて、
前記検出結果は、前記情報再生機器の電源情報であることを特徴とする遠隔制御システム。
【請求項９】
情報処理機器と当該情報処理機器に接続される情報再生機器とを動作制御する遠隔操作装置において、
前記情報処理機器と前記情報再生機器との接続関係情報を入力するために用いられる入力手段と、
前記接続関係情報を記憶する記憶手段と、
前記記憶手段に記憶された前記接続関係情報に基づき、前記情報再生機器を示す指示情報を表示する表示手段と、
を備えることを特徴とする遠隔操作装置。
【請求項１０】
情報処理機器と当該情報処理機器に接続される情報再生機器との接続関係情報を遠隔操作装置に入力して、記憶手段に記憶する入力工程と、
前記記憶手段に記憶された前記接続関係情報を出力する出力工程と、
前記遠隔操作装置から出力された前記接続関係情報に基づいて、制御装置が前記情報処理機器と当該情報処理機器に接続される情報再生機器）との接続関係を認識する認識工程と、
を備えることを特徴とする遠隔制御方法。
【発明の詳細な説明】
【０００１】
【発明の属する技術分野】
本願は、遠隔制御システム、遠隔操作装置及び遠隔制御方法に関するものである。
【０００２】
【従来の技術】
従来のＡＶ（Ａｕｄｉｏ＆Ｖｉｓｕａｌ）アンプではあらかじめ入力端子に名称がつけられているが、どの端子にどのような機器を接続しても、リモコン操作を間違えない限り、動作可能な状態となり機器を動作させることが可能であった。したがって、どの入力端子にどの機器が接続されているのかを操作者が正確に把握しておかないと、所望の機器を選択するリモコン操作を間違いなく行うことが難しかった。
【０００３】
【発明が解決しようとする課題】
これらのＡＶアンプとリモコン装置において、たとえば操作者がＡＶアンプに接続されているビデオを見たいと思っても、ＡＶアンプのどこの端子にビデオが接続されているかを操作者が認識していない場合には、その都度アンプのセレクタを切り替えて、ビデオの画像が出力されている端子を探すことになり、操作者にたいへんなストレスがかかるという問題が生じる。
【０００４】
本発明が、解決しようとする課題としては、ＡＶアンプのどこの端子にどのような機器が接続されているかを簡単に認識できるユーザインターフェースの向上と言う問題が一例として挙げられる。
【０００５】
【課題を解決するための手段】
上記課題を解決するために、請求項１に記載の発明は、情報処理機器と当該情報処理機器に接続される情報再生機器との接続関係情報を入力する入力手段と、前記接続関係情報を記憶する記憶手段と、前記接続関係情報を出力する出力手段とを有する遠隔操作装置と、前記遠隔操作装置から出力された前記接続関係情報に基づいて、前記情報処理機器と当該情報処理機器に接続される情報再生機器との接続関係を認識する認識手段を有する制御装置と、を備えることを特徴とする。
【０００６】
上記課題を解決するために、請求項９に記載の発明は、情報処理機器と当該情報処理機器に接続される情報再生機器とを動作制御する遠隔操作装置において、前記情報処理機器と前記情報再生機器との接続関係情報を入力するために用いられる入力手段と、前記接続関係情報を記憶する記憶手段と、前記記憶手段に記憶された前記接続関係情報に基づき、前記情報再生機器を示す指示情報を表示する表示手段と、を備えることを特徴とする。
【０００７】
上記課題を解決するために、請求項１０に記載の発明は、情報処理機器と当該情報処理機器に接続される情報再生機器との接続関係情報を遠隔操作装置に入力して、記憶手段に記憶する入力工程と、前記記憶手段に記憶された前記接続関係情報を出力する出力工程と、前記遠隔操作装置から出力された前記接続関係情報に基づいて、制御装置が前記情報処理機器と当該情報処理機器に接続される情報再生機器との接続関係を認識する認識工程と、を備えることを特徴とする。
【０００８】
【発明の実施の形態】
次に、本願の好適な実施の形態について、図１乃至図１４に基づいて説明する。
【０００９】
図１は、実施形態のシステム構成例をブロック図で示したものである。
【００１０】
図１によるシステムは、情報処理機器としてのＡＶアンプ１と、制御装置としてのコントロールボックス２と、情報再生機器としてのＰＤＰ（Ｐｌａｓｍａ　Ｄｉｓｐｌａｙ　Ｐａｎｅｌ）３と、情報再生機器としてのＤＶＲ（ＤＶＤ（Ｄｉｇｉａｔｌ　Ｖｅｒｓａｔｉｌｅ　Ｄｉｓｃ）Ｒｅｃｏｒｄｅｒ）４と、情報再生機器としてのＶＣＲ（Ｖｉｄｅｏ　Ｃａｓｓｅｔｔｅ　Ｒｅｃｏｒｄｅｒ）７と、遠隔操作装置としてのリモコン装置８と、から構成される。このシステムは、リモコン装置８から赤外線により送信されるリモコン信号をコントロールボックス２に入力し、その信号に基づいてコントロールボックス２がＡＶアンプ１、ＰＤＰ３、ＤＶＲ４、ＶＣＲ７の各機器（以下デバイスという）を制御することができるように構成されている。
【００１１】
以下、本システム構成例におけるＡＶアンプ１と、コントロールボックス２と、ＰＤＰ３、ＤＶＲ４と、ＶＣＲ７の接続関係について説明する。
【００１２】
ＡＶアンプ１は、接続された機器の映像信号や音声信号を増幅する部分で、図１では、ＰＤＰ３、ＤＶＲ４、ＶＣＲ７の映像信号と音声信号が入力されている。
【００１３】
ＰＤＰ３は、画像表示機能と共にメディアレシーバ（受信機）としての機能を持ち、さらに本実施形態ではＢＳ（Ｂｒｏａｄｃａｓｔｉｎｇ　Ｓａｔｅｌｌｉｔｅ）　Ｄｉｇｉｔａｌ受信機としての機能も有している。ＰＤＰ３とＤＶＲ４とはコネクタ３０３およびコネクタ４０１を介して、映像信号と音声信号の送受信を行っている。ＰＤＰ３とＡＶアンプ１とはコネクタ３０２およびコネクタ１０２を介して、映像信号と音声信号の送受信を行っている。また、ＰＤＰ３とコントロールボックス２とはコネクタ３０１およびコネクタ２０３を介して、映像信号と音声信号およびその他の情報の送受信を行っている。
【００１４】
ＤＶＲ４は、ＤＶＤに記録されている情報の録画再生を行うことができるＤＶＤ録画再生機である。ＤＶＲ４とＡＶアンプ１とはコネクタ４０２およびコネクタ１０３を介して、映像信号と音声信号の送受信を行っている。
【００１５】
ＶＣＲ７は、カセット式のテープによって録画再生を行うことができる録画再生機である。ＶＣＲ７とＡＶアンプ１とはコネクタ７０１およびコネクタ１０４を介して、映像信号と音声信号の送受信を行っている。また、ＶＣＲ７とコントロールボックス２とはコネクタ７０２およびコネクタ２０２を介して、映像信号と音声信号の送受信を行っている。
【００１６】
コントロールボックス２とＡＶアンプ１とはコネクタ２０１およびコネクタ１０１を介して、映像信号と音声信号およびその他の情報の送受信を行っている。
【００１７】
リモコン装置８は、コントロールボックス２の通信部２Ｂ（図３参照）に赤外線によりリモコン信号を送信する。そして、コントロールボックス２に入力したリモコン信号に基づいて、ＡＶアンプ１、ＰＤＰ３、ＤＶＲ４、ＶＣＲ７は、記録、再生、表示などの所望の動作を行う。
【００１８】
図２は、本実施形態のリモコン装置８の構成を示すブロック図である。
リモコン装置８は、マイコン１０、接続関係情報を入力する入力手段としてまた設定手段としての入力部１１、指示情報を表示する表示手段としての表示部１２、出力手段としての通信部１３、接続関係情報を記憶する記憶手段としてのメモリ１４および電池１５から概略構成される。リモコン装置８のメモリ１４には、入力部１１を介して外部コンピュータ（図示せず）からダウンロードしたデータコードが記憶される。そして、リモコン装置８はこのデータコードを通信部１３を介してコントロールボックス２に送信することにより、コントロールボックス２に各デバイスの接続状態を認識させる。
【００１９】
図３は、コントロールボックス２の構成をブロック図で示したものである。
【００２０】
コントロールボックス２は、本体部分２Ａと通信部２Ｂとから構成されており、コントロールボックス２の本体部分２Ａと通信部２ＢとはコネクタＣＮ１ＡとコネクタＣＮ１Ｂを介して接続されている。
【００２１】
本体部分２Ａは、マイコン２０、ＯＳＤ（Ｏｎ　Ｓｃｒｅｅｎ　Ｄｉｓｐｌａｙ）機能部２１、ドライバ部２２、電源アダプタ４１、メモリ３４、スイッチＳＷ１乃至ＳＷ６、コネクタＣＮ１ＡおよびコネクタＣＮ２乃至ＣＮ１１、コネクタＣＮ１４乃至ＣＮ１６にて概略構成されている。
【００２２】
通信部２Ｂは、リモコン装置８からの赤外線信号を受光する受光部３５、増幅部３６、コンパレータ３７およびコネクタＣＮ１Ｂから概略構成されている。
【００２３】
通信部２Ｂは、リモコン装置８から送られるデータコード及びリモコン信号（以下、単に信号と記す場合がある）を受光部３５で受光し、データコードのみを増幅部３６で増幅し、コネクタＣＮ１Ｂを介して本体部分２ＡのコネクタＣＮ１Ａに出力する。そして、本体部分２Ａは、コネクタＣＮ１Ａを介してマイコン２０に信号を入力し、入力された信号から得られた情報に基づき、コントロールボックス２のコネクタ２０１とＡＶアンプ１の検出結果出力手段としてのコネクタ１０１を介して通信を行う。
【００２４】
すなわち、コントロールボックス２は、リモコン装置８から送信される信号に基づき、コネクタＣＮ６に接続されているＶＣＲ７の画像信号をスイッチＳＷ２、ＯＳＤ２１およびコネクタＣＮ３を介してＰＤＰ３に出力するか、ＣＮ８に接続されているＡＶアンプ１のモニタ端子から送られる画像信号をスイッチＳＷ２、ＯＳＤ２１およびコネクタＣＮ３を介してＰＤＰ３に出力するかを判断する。また、リモコン装置８の操作に必要な情報があればマイコン１０はＯＳＤ２１に制御信号３３から命令を送り、コネクタＣＮ３からＰＤＰ３に必要な画像情報を出力する。
【００２５】
また、コネクタＣＮ７、８、１０、１１、１４、１６は、図１のブロック図におけるコネクタ２０１に対応し、コネクタＣＮ６、９、１５は、図１のブロック図のコネクタ２０２に対応し、コネクタＣＮ３、４、５は図１のブロック図のコネクタ２０３に対応する。
【００２６】
次に、リモコン装置８が外部コンピュータ（図示せず）からデータコードをダウンロードし、コントロールボックス２にデータコードを送信し、ＰＤＰ３にメッセージを出力するまでの処理について説明する。
【００２７】
図４は、本実施形態におけるリモコン装置８の操作フローチャートを示す。また、外部コンピュータに表示される画面を図５、図６および図７に示す。
【００２８】
ステップＳ１において、外部コンピュータは、操作者の操作により、エディタソフトを起動してリモコン装置８の画像を表示させ（図５（ａ））、そのリモコン装置８の画像以外の場所でマウスを右クリックすることによりプルダウンメニューを表示させ（図５（ｂ））、そのメニューから“デバイス登録”メニューを開く（図６）。
【００２９】
ステップＳ２において、外部コンピュータは、操作者の操作により、ＡＶアンプ１に接続されているデバイスがＡＶアンプ１のどのファンクション名コネクタに接続されているか、すなわちＡＶアンプ１のファンクション名と接続されているデバイス名を登録していく。
【００３０】
具体的には、外部コンピュータは、プルダウンメニューの中から　“デバイス登録”メニューを選択すると、図７に示すデバイス登録画面を表示する。このデバイス登録画面には、ＡＶアンプ１に接続可能なデバイスのデバイス名表示欄６１、図１に示すＡＶアンプ１のコネクタに対応する名称であるファンクション名を示す表示欄６４、デバイス名とファンクション名の対応を決定する決定キー６６とデバイス登録画面を終了する終了キー６５が表示されている。ＡＶアンプ１のコネクタ１０１乃至１０４および図示されていないコネクタの名称はファンクションとも呼ばれ、ファンクションには図９に示す名称がエディタソフトにあらかじめ登録されている。
【００３１】
図７（ａ）にはデバイス名表示欄６１にＤＶＲ４が表示されており、図１からＤＶＲ４はＡＶアンプ１のＶＣＲ１／ＤＶＲに接続されていることから、ファンクション名表示欄６４にキー６３を操作してＶＣＲ１／ＤＶＲを表示させる（図７（ｂ））。デバイス名表示欄６１のＤＶＲに対応するＡＶアンプ１のファンクション名表示欄６４のＶＣＲ１／ＤＶＲを設定するために、決定キー６６を押下する。このようにしてＡＶアンプ１の全てのファンクション欄に接続されているデバイスを登録させる。図７（ｃ）に示すようにＡＶアンプ１のファンクションに接続されているデバイスがない場合には、ファンクション名表示欄６４に“なし”を選択して決定キー６６を押下する。全てのデバイスの登録が終了したら、図７（ｃ）に示す終了キー６５を選択する。
【００３２】
図８にＡＶアンプ１の接続端子の名称とＡＶアンプ１に接続される可能性のある装置との対応関係を表にして示す。接続可能なデバイスは、ＤＶＲ（Ｄｉｇｉｔａｌ　Ｖｉｄｅｏ　Ｒｅｃｏｒｄｅｒ）、ＶＣＲ（Ｖｉｄｅｏ　Ｃａｓｓｅｔｔｅ　Ｒｅｃｏｒｄｅｒ）、ＴＶ（Ｔｅｌｅｖｉｓｉｏｎ）、ＤＶＤ（Ｄｉｇｉｔａｌ　Ｖｅｒｓａｔｉｌｅ　Ｄｉｓｃ　ｐｌａｙｅｒ）、ＬＤ（Ｌａｓｅｒ　Ｄｉｓｃ　ｐｌａｙｅｒ）、ＳＴＢ（Ｓｅｔ　Ｔｏｐ　Ｂｏｘ）、ＣＳ（Ｃｏｍｍｕｎｉｃａｔｉｏｎ　Ｓａｔｅｌｌｉｔｅ　ｔｕｎｅｒ）、ＣＤ（Ｃｏｍｐａｃｔ　Ｄｉｓｃ　Ｐｌａｙｅｒ）、Ｔｕｎｅｒ、ＭＤ（Ｍｉｎｉ　Ｄｉｓｃ　Ｐｌａｙｅｒ）、ＴＡＰＥ（Ｃａｓｅｔｔｅ　Ｔａｐｅ　Ｐｌａｙｅｒ）である。ＡＶアンプ１ファンクション名は、ＶＣＲ１、ＶＣＲ２、ＴＶ／ＳＡＴ、ＰＨＯＮＯ、ＤＶＤ／ＬＤ、ＦＲＯＮＴ、ＣＤ、ＴＵＮＥＲ、ＴＡＰＥ１、ＴＡＰＥ２である。ＡＶアンプ１のファンクション名ＶＣＲ１に接続可能なデバイスは、ＤＶＲのみであり、ＡＶアンプ１のファンクション名ＤＶＤ／ＬＤに接続可能なデバイスは、ＤＶＤ、ＬＤ、ＳＴＢ、ＣＳ、ＶＣＲであることなどがわかる。なお、ファンクション名、デバイス名は、システム構成に応じて、エディタソフトによってあらたな名称を作成することができる。
【００３３】
図８（ａ）より、ＡＶアンプ１の入力ファンクションのＶＣＲ１、ＶＣＲ２、ＴＶ／ＳＡＴ、ＣＤ、ＴＵＮＥＲ、ＰＨＯＮＯについては、接続される可能性のあるデバイスをあらかじめひとつに限定しているので、これらのファンクションについては、デバイスの接続の有無が問題となる。したがって、各ファンクションに接続されるべきデバイスがあるかないかをデバイス登録画面から入力する。図８（ｂ）より、図８（ａ）以外のＡＶアンプ１の入力ファンクションであるＤＶＤ／ＬＤ、ＦＲＯＮＴ、ＴＡＰＥ１、ＴＡＰＥ２は接続される可能性のあるデバイスが複数存在することから、デバイスの接続の有無だけではなく、接続されている場合には何が接続されているかも問題となることが分かる。したがって、各ファンクションであるＤＶＤ／ＬＤ、ＦＲＯＮＴ、ＴＡＰＥ１、ＴＡＰＥ２に接続されるべきデバイスがあるかないか、接続されているデバイスがある場合にはその名称をデバイス登録画面（図７（ａ）〜（ｃ））から入力する。
【００３４】
ステップＳ３において、外部コンピュータは、全てのデバイスの登録を終了すると、エディタソフトがファンクション名欄に接続されているデバイスの関係を示すデータコードを生成する。
【００３５】
ステップＳ４において、外部コンピュータは、生成されたデータコードを保存する。
【００３６】
ステップＳ５において、外部コンピュータは、そのデータコードをリモコン装置８にダウンロードし、リモコン装置８内のメモリ１４に記憶させる。
【００３７】
ステップＳ７では、リモコン装置８は、操作者の操作により、ＰＤＰ３に表示させたいデバイスを選択し、また、録画、再生等させたいデバイスを選択する。
【００３８】
このように、リモコン装置８に表示されるデバイスの名称はＡＶアンプ１に接続されるデバイス名と同一になるので、操作者にとってリモコン装置８の操作性が向上する。
【００３９】
ステップＳ８では、リモコン装置８は、操作者の操作により、メモリ１４に記憶されたデータコードを通信部１３を介してコントロールボックス２に送信する。
【００４０】
ステップＳ９では、コントロールボックス２は、通信部２Ｂで上述のデータコードを受信する。
【００４１】
ステップＳ１０では、コントロールボックス２は、受信したデータコードを解析して、ＡＶアンプ１と各デバイスの接続関係を認識する。
【００４２】
ステップＳ１１で、ＡＶアンプ１のファンクションに接続されるべきデバイスの有無をＡＶアンプ１が検出する。検出動作はＡＶアンプ１のファンクションに各デバイスの信号が入力されているかどうかを電源検出部１０５が検出することにより行われる。
【００４３】
ステップＳ１２で、ステップＳ１１の動作では、ＡＶアンプ１が電源検出部１０５によってＡＶアンプ１のファンクションにリモコン装置８で設定されたデバイスの信号が入力されているか否かを検出し、その結果を、コントロールボックス２のコネクタ２０１とＡＶアンプ１のコネクタ１０１間で通信する。
【００４４】
ステップＳ１３で、ステップＳ１２でコントロールボックス２から選択されたデバイスの信号がＡＶアンプ１のファンクションに入力されていないことが電源検出部１０５によって検出された場合には、コントロールボックス２のマイコン２０から制御信号３３を介してＯＳＤ部２１に命令が伝達される。その結果、ＯＳＤ部２１からコネクタＣＮ３を介して、ＰＤＰ３の画面に例えば“ケーブルの電源を入れてください”というメッセージが表示され、操作者にリモコン装置８を使用して選択した機器の電源を入れるように注意を喚起することができる。このように、本願によるリモコン装置８の表示にはＡＶアンプ１のファンクションに接続されている具体的な機器名が表示されるようになったため（本実施形態においては例えば“ＤＶＲ４”という表示がされる。）、操作者に大きなストレスをかけることなく、オーディオシステムを楽しむことができるようになった。
【００４５】
次に、リモコン装置８とコントロールボックス２との間で通信が行われる場合のデータコードのフォーマットについて、図９から図１３を用いて説明する。
【００４６】
図９はデータフォーマットを示す図である。図９から分かるようにデータ数はコード１からコード８までの８コードである。ＳＴＡＲＴコードは１６進数でＡ０ＣＣｈとＡＦ３Ｄｈの組み合わせから構成されており、ＥＮＤコードは１６進数でＡ０ＣＣｈとＡＦ３Ｅｈの組み合わせから構成されている。また、２コード目のＨＥＡＤＥＲは本実施形態では１６進数でＡＢＡ１ｈの固定値となる。ＨＥＡＤＥＲコードＡＢＡ１ｈが意味することは、これからＡＶアンプ１の各ファンクションとそれに接続されているデバイスの有無と接続されている場合のデバイス名をこれから転送することを示すことである。３コードから６コードまでが前述の接続関係を示すデータの内容である。
【００４７】
図１０は、３コード目のＤＡＴＡ０の内容を示し、ＡＶアンプ１のファンクションＶＣＲ２およびＤＶＤ／ＬＤのデバイスの接続状態を示す。３コード目の値は１６進数でＡＢＡ０ｈ〜ＡＢＡＦｈまでの値の１６種類をとることが示されている。ＡＢＡ０ｈはＡＶアンプ１のファンクションＶＣＲ２およびＤＶＤ／ＬＤの両方にデバイスが接続されていないことを示す。ＡＢＡＦｈはＡＶアンプ１のファンクションＶＣＲ２にはデバイスＶＣＲ１が接続されており、ファンクションＤＶＤ／ＬＤにはデバイスＣＳチューナーが接続されていることが示されている。
【００４８】
図１１は、４コード目のＤＡＴＡ１の内容を示し、ＡＶアンプ１のファンクションＤＶＤ／ＶＣＲ１およびＦＲＯＮＴのデバイスの接続状態を示す。４コード目の値は１６進数でＡＢＡ０ｈ〜ＡＢＡＦｈまでの値の１６種類をとることが示されている。ＡＢＡ０ｈはＡＶアンプ１のファンクションＤＶＤ／ＶＣＲ１およびＦＲＯＮＴの両方にデバイスが接続されていないことを示す。ＡＢＡＤｈはＡＶアンプ１のファンクションＤＶＤ／ＶＣＲ１にはデバイスＤＶＲが接続されており、ファンクションＦＲＯＮＴにはデバイスＣＳチューナーが接続されていることが示されている。
【００４９】
図１２は、５コード目のＤＡＴＡ２の内容を示し、ＡＶアンプ１のファンクションＴＶ／ＳＡＴ、ＣＤおよびＴＡＰＥ１のデバイスの接続状態を示す。５コード目の値は１６進数でＡＢＡ０ｈ〜ＡＢＡＦｈまでの値の１６種類をとることが示されている。ＡＢＡ０ｈはＡＶアンプ１のファンクションＴＶ／ＳＡＴ、ＣＤおよびＴＡＰＥ１のいずれにもデバイスが接続されていないことを示す。ＡＢＡＤｈはＡＶアンプ１のファンクションＴＶ／ＳＡＴにはデバイスＴＶが接続されており、ファンクションＣＤにはデバイスＣＤが接続されており、ファンクションＴＡＰＥ１にはデバイスＭＤが接続されていることが示されている。
【００５０】
図１３は、６コード目のＤＡＴＡ３の内容を示し、ＡＶアンプ１のファンクションＴＡＰＥ２、ＴＵＮＥＲおよびＰＨＯＮＯのデバイスの接続状態を示す。６コード目の値は１６進数でＡＢＡ０ｈ〜ＡＢＡＦｈまでの値の１６種類をとることが示されている。ＡＢＡ０ｈはＡＶアンプ１のファンクションＴＡＰＥ２、ＴＵＮＥＲのいずれにもデバイスが接続されていないことを示し、ファンクションＰＨＯＮＯの接続デバイス情報は示さない。ＡＢＡＦｈはＡＶアンプ１のファンクションＴＡＰＥ２にはデバイスＴＡＰＥ１が接続されており、ファンクションＴＵＮＥＲにはデバイスＴＵＮＥＲが接続されていることを示し、ファンクションＰＨＯＮＯの接続デバイス情報は示さない。
【００５１】
このようにして図１０〜図１３によって示されるＡＶアンプ１のファンクションと各ファンクションに接続されているデバイスの情報を、リモコン装置８からコントロールボックス２に図１１に示されるデータフォーマットに従って、赤外線で通信される。この情報を受信したコントロールボックス２は、ＡＶアンプ１の各ファンクションに情報どおりに各デバイスが接続されているかを、各ファンクションの入力毎に検出していく。
【００５２】
以下、本願によるリモコン装置８を適用した第２のシステム構成について説明する。
【００５３】
図１４は、第２のシステム構成例をブロック図で示したものである。
【００５４】
本システム構成は、ＡＶアンプ１と、コントロールボックス２と、ＰＤＰ３、ＤＶＲ４と、情報再生機器としてのＣＡＴＶ（Ｃａｂｌｅ　Ｔｅｌｅｖｉｓｉｏｎ）５と、情報再生機器としてのＶＣＲ（Ｖｉｄｅｏ　Ｃａｓｓｅｔｔｅ　Ｒｅｃｏｒｄｅｒ）６、ＶＣＲ７とリモコン装置８とから概略構成される。
【００５５】
第１のシステム構成例と重複する部分には同じ名称および番号を付し、説明を省略する。
【００５６】
ＣＡＴＶ５とＰＤＰ３とはコネクタ５０２およびコネクタ３０５を介して、映像信号と音声信号の送受信を行っている。また、ＣＡＴＶ５とＡＶアンプ１とはコネクタ５０１およびコネクタ１０８を介して、映像信号と画像信号の送受信を行っている。
【００５７】
ＶＣＲ６とＡＶアンプ１とはコネクタ６０１およびコネクタ１０９を介して、映像信号と画像信号の送受信を行っている。
【００５８】
リモコン装置８は、コントロールボックス２の通信部２Ｂ（図３参照）に赤外線によりリモコン信号を送信する。そして、コントロールボックス２に入力したリモコン信号に基づいて、ＡＶアンプ１、ＰＤＰ３、ＤＶＲ４、ＤＶＲ４、ＣＡＴＶ５、ＶＣＲ６、ＶＣＲ７は、記録、再生、表示などの所望の動作を行う。
【００５９】
以上実施形態について説明したように、リモコン装置８に表示されるデバイスの名称はＡＶアンプ１に接続されるデバイス名と同一になるので、操作者にとってリモコン装置８の操作性が向上する。
【００６０】
また、実施形態によるリモコン装置８の表示にはＡＶアンプ１のファンクションに接続されている具体的な機器名が表示されるようになったため（本実施形態においては例えば“ＤＶＲ４”という表示がされる。）、操作者に大きなストレスをかけることなく、オーディオシステムを楽しむことができるようになった。
【００６１】
また、赤外線によって遠隔制御されるので、リモコン装置８とＡＶアンプ１とが離れていても所望の遠隔制御することができる。
【００６２】
更に、ＡＶ用の情報処理機器において遠隔制御することができる。
【００６３】
更にまた、ＡＶアンプ１に接続されている機器の電源情報を取得することができるので、より操作性を向上させることができる。
【００６４】
本実施形態において、コントロールボックス２は独立した装置として示したが、ＡＶアンプ１の中に一体化してコントロールボックス２の機能を搭載することが可能である。また、ＡＶアンプ１と接続されるデバイスの中に一体化してコントロールボックス２の機能を搭載することも可能である。
【００６５】
また本実施形態において、リモコン装置８は独立した装置として示したが、ＡＶアンプ１の中に一体化してリモコン装置８の機能を搭載することが可能である。また、ＡＶアンプ１と接続されるデバイスの中に一体化してリモコン装置８の機能を搭載することも可能である。
【００６６】
また本実施形態においては、図４のステップＳ１〜ステップＳ５までの各ステップの処理を外部コンピュータによって実行させているが、リモコン装置８にて実行させても構わない。さらに、エディタソフトに、新たなファンクション名新たなデバイス名を登録することができることも可能である。
【図面の簡単な説明】
【図１】実施形態の第１システム構成のブロック図。
【図２】リモコン装置のブロック構成図。
【図３】コントロールボックスのブロック構成図。
【図４】実施形態のリモコン装置の操作フローチャート。
【図５】リモコン装置の画面および入力キーを示す図であり、（ａ）はリモコン装置の平面図、（ｂ）はプルダウンメニューを示す。
【図６】デバイス登録を選択したプルダウンメニュー。
【図７】リモコン装置の画面を示す図であり、（ａ）、（ｂ）、（ｃ）はデバイス登録画面を示す。
【図８】デバイス登録の選択を示す表であり、（ａ）、（ｂ）はデバイス登録によるデフォルトのファンクション名と選択可能なデバイスを示す。
【図９】データフォーマット示す図。
【図１０】ＤＡＴＡ０の内容を示す図。
【図１１】ＤＡＴＡ１の内容を示す図。
【図１２】ＤＡＴＡ２の内容を示す図。
【図１３】ＤＡＴＡ３の内容を示す図。
【図１４】実施形態の第２システム構成のブロック図。
【符号の説明】
１：ＡＶアンプ
２：コントロールボックス
３：ＰＤＰ
４：ＤＶＲ
５：ＣＡＴＶ
６、７：ＶＣＲ
１０、２０：マイコン
１１：入力部
１２：表示部
１３：通信部
１４：メモリ
１５：電池
【図１】
2004120442.tif 000003
【図２】
2004120442.tif 000004
【図３】
2004120442.tif 000005
【図４】
2004120442.tif 000006
【図５】
2004120442.tif 000007
【図６】
2004120442.tif 000008
【図７】
2004120442.tif 000009
【図８】
2004120442.tif 000010
【図９】
2004120442.tif 000011
【図１０】
2004120442.tif 000012
【図１１】
2004120442.tif 000013
【図１２】
2004120442.tif 000014
【図１３】
2004120442.tif 000015
【図１４】
2004120442.tif 000016
【手続補正書】
【提出日】平成14年10月4日(2002.10.4)
【手続補正１】
【補正対象書類名】図面
【補正対象項目名】全図
【補正方法】変更
【補正の内容】
【図１】
2004120442.tif 000017
【図２】
2004120442.tif 000018
【図３】
2004120442.tif 000019
【図４】
2004120442.tif 000020
【図５】
2004120442.tif 000021
【図６】
2004120442.tif 000022
【図７】
2004120442.tif 000023
【図８】
2004120442.tif 000024
【図９】
2004120442.tif 000025
【図１０】
2004120442.tif 000026
【図１１】
2004120442.tif 000027
【図１２】
2004120442.tif 000028
【図１３】
2004120442.tif 000029
【図１４】
2004120442.tif 000030